(57)【要約】【構成】イメージセンサ１６および５６は、撮像面で捉えられた空間を表す画像を繰り返し出力する。ＬＣＤドライバ３６，ＬＣＤモニタ３８，画像合成回路，およびＣＰＵ２６は、イメージセンサ１６および５６から出力された画像を表示する。グラフィックジェネレータ４６およびＣＰＵ２６は、少なくとも合焦点の位置を示す指標を表示された画像に多重する。ＣＰＵ２６は、多重される指標の位置を合焦調整操作に従って変更し、位置変更処理に関連して合焦設定を変更する。【効果】合焦設定における操作性の向上。【選択図】図２
2013026744.tif 000002
【特許請求の範囲】
【請求項１】
撮像面で捉えられた空間を表す画像を繰り返し出力する撮像手段、
前記撮像手段から出力された画像を表示する表示手段、
少なくとも合焦点の位置を示す指標を前記表示手段によって表示された画像に多重する多重手段、
前記多重手段によって多重される指標の位置を合焦調整操作に従って変更する位置変更手段、および
前記位置変更手段の処理に関連して合焦設定を変更する設定変更手段を備える、電子カメラ。
【請求項２】
前記表示手段は、前記撮像手段から出力された画像に基づいて３次元画像を作成する作成手段、および前記作成手段によって作成された３次元画像を表示する３次元表示手段を含む、請求項１記載の電子カメラ。
【請求項３】
前記設定変更手段は前記位置変更手段の位置変更処理が実行される毎に設定変更処理を実行する、請求項１または２記載の電子カメラ。
【請求項４】
前記位置変更手段の処理に関連して合焦決定操作を受け付ける受け付け手段をさらに備え、
前記設定変更手段は前記受け付け手段によって前記合焦決定操作が受け付けられた後に設定変更処理を実行する、請求項１または２記載の電子カメラ。
【請求項５】
前記多重手段によって多重される指標の形状を絞り量調整操作に従って変更する形状変更手段、および
前記形状変更手段の処理に関連して絞り設定を変更する絞り設定変更手段をさらに備える、請求項１ないし４のいずれかに記載の電子カメラ。
【請求項６】
請求項１ないし５のいずれかに記載の電子カメラを備える、双眼鏡。
【請求項７】
撮像面で捉えられた空間を表す画像を繰り返し出力する撮像手段を備える電子カメラのプロセッサに、
前記撮像手段から出力された画像を表示する表示ステップ、
少なくとも合焦点の位置を示す指標を前記表示ステップによって表示された画像に多重する多重ステップ、
前記多重ステップによって多重される指標の位置を合焦調整操作に従って変更する位置変更ステップ、および
前記位置変更ステップの処理に関連して合焦設定を変更する設定変更ステップを実行させるための、撮像制御プログラム。
【請求項８】
撮像面で捉えられた空間を表す画像を繰り返し出力する撮像手段を備える電子カメラによって実行される撮像制御方法であって、
前記撮像手段から出力された画像を表示する表示ステップ、
少なくとも合焦点の位置を示す指標を前記表示ステップによって表示された画像に多重する多重ステップ、
前記多重ステップによって多重される指標の位置を合焦調整操作に従って変更する位置変更ステップ、および
前記位置変更ステップの処理に関連して合焦設定を変更する設定変更ステップを備える、撮像制御方法。
【請求項９】
撮像面で捉えられた空間を表す画像を繰り返し出力する撮像手段、および
メモリに保存された内部制御プログラムに従う処理を実行するプロセッサを備える電子カメラに供給される外部制御プログラムであって、
前記撮像手段から出力された画像を表示する表示ステップ、
少なくとも合焦点の位置を示す指標を前記表示ステップによって表示された画像に多重する多重ステップ、
前記多重ステップによって多重される指標の位置を合焦調整操作に従って変更する位置変更ステップ、および
前記位置変更ステップの処理に関連して合焦設定を変更する設定変更ステップを前記内部制御プログラムと協働して前記プロセッサに実行させるための、外部制御プログラム。
【請求項１０】
撮像面で捉えられた空間を表す画像を繰り返し出力する撮像手段、
外部制御プログラムを受信する受信手段、および
前記受信手段によって受信された外部制御プログラムとメモリに保存された内部制御プログラムとに従う処理を実行するプロセッサを備える電子カメラであって、
前記外部制御プログラムは、
前記撮像手段から出力された画像を表示する表示ステップ、
少なくとも合焦点の位置を示す指標を前記表示ステップによって表示された画像に多重する多重ステップ、
前記多重ステップによって多重される指標の位置を合焦調整操作に従って変更する位置変更ステップ、および
前記位置変更ステップの処理に関連して合焦設定を変更する設定変更ステップを前記内部制御プログラムと協働して実行するプログラムに相当する、電子カメラ。
【発明の詳細な説明】
【技術分野】
【０００１】
この発明は、電子カメラに関し、特に、所定の情報を示す指標を表示画像に多重する、電子カメラに関する。
【背景技術】
【０００２】
この種のカメラの一例が、特許文献１に開示されている。この背景技術によれば、ブラウザビュー画面の表示によって画面上に擬似立体空間が表現され、その擬似立体空間の所定の領域を示す空間カーソルが表示される。空間カーソルの表示と共に、擬似立体空間内の所定の位置に配置された各種の情報がアイコンによって表示される。シャッタボタンが半押し操作されると、アイコンによって表示された各情報のうち、空間カーソル内に配置された情報が選択される。
【先行技術文献】
【特許文献】
【０００３】
【特許文献１】特開２００９−６０３３８号公報
【発明の概要】
【発明が解決しようとする課題】
【０００４】
しかし、背景技術では、撮影画像を再生する際に撮影時の撮像条件をアイコンが表すことは記載されているものの、撮影を行う際に現時点の撮像条件を表示することについては記載されていない。したがって、合焦設定などの撮像条件の調整操作を行っているときに、無関係な過去の撮像条件などが表示される可能性があり、操作性が低下する恐れがある。
【０００５】
それゆえに、この発明の主たる目的は、合焦設定における操作性を高めることができる、電子カメラを提供することである。
【課題を解決するための手段】
【０００６】
この発明に従う電子カメラ(10：実施例で相当する参照符号。以下同じ)は、撮像面で捉えられた空間を表す画像を繰り返し出力する撮像手段(16, 56)、撮像手段から出力された画像を表示する表示手段(36, 38, 48, S3)、少なくとも合焦点の位置を示す指標を表示手段によって表示された画像に多重する多重手段(46, S9)、多重手段によって多重される指標の位置を合焦調整操作に従って変更する位置変更手段(S19, S29, S31)、および位置変更手段の処理に関連して合焦設定を変更する設定変更手段(S17, S51)を備える。
【０００７】
好ましくは、表示手段は、撮像手段から出力された画像に基づいて３次元画像を作成する作成手段(48)、および作成手段によって作成された３次元画像を表示する３次元表示手段(36, 38, S3)を含む。
【０００８】
好ましくは、設定変更手段は位置変更手段の位置変更処理が実行される毎に設定変更処理を実行する。
【０００９】
好ましくは、位置変更手段の処理に関連して合焦決定操作を受け付ける受け付け手段(28sh)をさらに備え、設定変更手段は受け付け手段によって合焦決定操作が受け付けられた後に設定変更処理を実行する。
【００１０】
好ましくは、多重手段によって多重される指標の形状を絞り量調整操作に従って変更する形状変更手段(S25)、および形状変更手段の処理に関連して絞り設定を変更する絞り設定変更手段(S23)をさらに備える。
【００１１】
好ましくは、上述の電子カメラは双眼鏡に設けられる。
【００１２】
この発明に従う撮像制御プログラムは、撮像面で捉えられた空間を表す画像を繰り返し出力する撮像手段(16, 56)を備える電子カメラ(10)のプロセッサ(26)に、撮像手段から出力された画像を表示する表示ステップ(36, 38, 48, S3)、少なくとも合焦点の位置を示す指標を表示ステップによって表示された画像に多重する多重ステップ(46, S9)、多重ステップによって多重される指標の位置を合焦調整操作に従って変更する位置変更ステップ(S19, S29, S31)、および位置変更ステップの処理に関連して合焦設定を変更する設定変更ステップ(S17, S51)を実行させるための、撮像制御プログラムである。
【００１３】
この発明に従う撮像制御方法は、撮像面で捉えられた空間を表す画像を繰り返し出力する撮像手段(16, 56)を備える電子カメラ(10)によって実行される撮像制御方法であって、撮像手段から出力された画像を表示する表示ステップ(36, 38, 48, S3)、少なくとも合焦点の位置を示す指標を表示ステップによって表示された画像に多重する多重ステップ(46, S9)、多重ステップによって多重される指標の位置を合焦調整操作に従って変更する位置変更ステップ(S19, S29, S31)、および位置変更ステップの処理に関連して合焦設定を変更する設定変更ステップ(S17, S51)を備える。
【００１４】
この発明に従う外部制御プログラムは、撮像面で捉えられた空間を表す画像を繰り返し出力する撮像手段(16, 56)、およびメモリ(44)に保存された内部制御プログラムに従う処理を実行するプロセッサ(26)を備える電子カメラ(10)に供給される外部制御プログラムであって、撮像手段から出力された画像を表示する表示ステップ(36, 38, 48, S3)、少なくとも合焦点の位置を示す指標を表示ステップによって表示された画像に多重する多重ステップ(46, S9)、多重ステップによって多重される指標の位置を合焦調整操作に従って変更する位置変更ステップ(S19, S29, S31)、および位置変更ステップの処理に関連して合焦設定を変更する設定変更ステップ(S17, S51)を内部制御プログラムと協働してプロセッサに実行させるための、外部制御プログラムである。
【００１５】
この発明に従う電子カメラ(10)は、撮像面で捉えられた空間を表す画像を繰り返し出力する撮像手段(16, 56)、外部制御プログラムを受信する受信手段(60)、および受信手段によって受信された外部制御プログラムとメモリ(44)に保存された内部制御プログラムとに従う処理を実行するプロセッサ(26)を備える電子カメラ(10)であって、外部制御プログラムは、撮像手段から出力された画像を表示する表示ステップ(36, 38, 48, S3)、少なくとも合焦点の位置を示す指標を表示ステップによって表示された画像に多重する多重ステップ(46, S9)、多重ステップによって多重される指標の位置を合焦調整操作に従って変更する位置変更ステップ(S19, S29, S31)、および位置変更ステップの処理に関連して合焦設定を変更する設定変更ステップ(S17, S51)を内部制御プログラムと協働して実行するプログラムに相当する。
【発明の効果】
【００１６】
撮像面で捉えられた空間を表す画像に合焦点の位置を示す指標が多重して表示される。この指標の位置は、合焦調整操作に従って変更される。また、指標の位置の変更に関連して、合焦設定が変更される。
【００１７】
このように、指標の位置の変更を通じて、合焦設定の変更を視覚的に捉えることができる。したがって、合焦設定における操作性を高めることができる。
【００１８】
この発明の上述の目的，その他の目的，特徴および利点は、図面を参照して行う以下の実施例の詳細な説明から一層明らかとなろう。
【図面の簡単な説明】
【００１９】
【図１】この発明の一実施例の基本的構成を示すブロック図である。
【図２】この発明の一実施例の構成を示すブロック図である。
【図３】図２実施例のカメラの外観の一部を示す図解図である。
【図４】図２実施例によって捉えられるシーンの一例を示す図解図である。
【図５】図２実施例によって作成される画像の一例を示す図解図である。
【図６】スルー画像の表示の一例を示す図解図である。
【図７】フォーカスマーカの表示の一例を示す図解図である。
【図８】図２実施例によって作成される画像の他の一例を示す図解図である。
【図９】図２実施例のカメラと撮影予定場所との水平方向の位置関係を示した図解図である。
【図１０】図２実施例のカメラと撮影予定場所との垂直方向の位置関係を示した図解図である。
【図１１】図２実施例によって作成される画像のその他の一例を示す図解図である。
【図１２】図２実施例のカメラと他の撮影予定場所との垂直方向の位置関係を示した図解図である。
【図１３】図２実施例に適用されるＣＰＵの動作の一部を示すフロー図である。
【図１４】図２実施例に適用されるＣＰＵの動作の他の一部を示すフロー図である。
【図１５】図２実施例に適用されるＣＰＵの動作のその他の一部を示すフロー図である。
【図１６】この発明の他の実施例に適用されるＣＰＵの動作の一部を示すフロー図である。
【図１７】この発明のその他の実施例の構成を示すブロック図である。
【発明を実施するための形態】
【００２０】
以下、この発明の実施の形態を図面を参照しながら説明する。
［基本的構成］
【００２１】
図１を参照して、この実施例の電子カメラは、基本的に次のように構成される。撮像手段１は、撮像面で捉えられた空間を表す画像を繰り返し出力する。表示手段２は、撮像手段１から出力された画像を表示する。多重手段３は、少なくとも合焦点の位置を示す指標を表示手段２によって表示された画像に多重する。位置変更手段４は、多重手段３によって多重される指標の位置を合焦調整操作に従って変更する。設定変更手段５は、位置変更手段４の処理に関連して合焦設定を変更する。
【００２２】
撮像面で捉えられた空間を表す画像に合焦点の位置を示す指標が多重して表示される。この指標の位置は、合焦調整操作に従って変更される。また、指標の位置の変更に関連して、合焦設定が変更される。
【００２３】
このように、指標の位置の変更を通じて、合焦設定の変更を視覚的に捉えることができる。したがって、合焦設定における操作性を高めることができる。
［実施例］
【００２４】
図２を参照して、この実施例のディジタルカメラ１０は、ドライバ１８ａおよび１８ｂによってそれぞれ駆動されるフォーカスレンズ１２および絞りユニット１４を含む。これらの部材を経たシーンの光学像は、ドライバ１８ｃによって駆動されるイメージセンサ１６の撮像面に照射され、光電変換を施される。また、フォーカスレンズ１２，絞りユニット１４，イメージセンサ１６，およびドライバ１８ａ〜１８ｃは、第１撮像ブロック１００を構成する。
【００２５】
ディジタルカメラ１０にはまた、イメージセンサ１６によって捉えられたシーンと共通のシーンを捉えるために、ドライバ５８ａ，５８ｂ，および５８ｃによってそれぞれ駆動されるフォーカスレンズ５２，絞りユニット５４，およびイメージセンサ５６が設けられている。フォーカスレンズ５２および絞りユニット５４を経たシーンの光学像は、イメージセンサ５６の撮像面に照射され、光電変換を施される。また、フォーカスレンズ５２，絞りユニット５４，イメージセンサ５６，およびドライバ５８ａ〜５８ｃは、第２撮像ブロック５００を構成する。
【００２６】
これらの部材によって、イメージセンサ１６によって捉えられたシーンに対応した電荷およびイメージセンサ５６によって捉えられたシーンに対応した電荷が生成される。
【００２７】
図３を参照して、第１撮像ブロック１００および第２撮像ブロック５００は、ディジタルカメラ１０の筐体ＣＢ１の前面に固定的に設けられる。第１撮像ブロック１００は筐体ＣＢ１の前方に向かって左側に位置し、第２撮像ブロック５００は筐体ＣＢ１の前方に向かって右側に位置する。
【００２８】
第１撮像ブロック１００および第２撮像ブロック５００はそれぞれ光軸ＡＸ＿ＬおよびＡＸ＿Ｒを有し、筐体ＣＢ１の底面から光軸ＡＸ＿Ｌまでの距離（＝Ｈ＿Ｌ）は筐体ＣＢ１の底面から光軸ＡＸ＿Ｒまでの距離（＝Ｈ＿Ｒ）と一致する。また、水平方向における光軸ＡＸ＿ＬおよびＡＸ＿Ｒの間隔（＝Ｂ）は、人間の両目の間隔を考慮して６ｃｍ程度に設定される。さらに、第１撮像ブロック１００および第２撮像ブロック５００は、共通の倍率を有する。このような第１撮像ブロック１００および第２撮像ブロック５００の各々を経た光学像を用いて、以下に述べる要領で３Ｄ（three dimensional）動画像が表示される。
【００２９】
電源が投入されると、ＣＰＵ２６は、動画取り込み処理を実行するべく、撮像タスクの下で露光動作および電荷読み出し動作の繰り返しをドライバ１８ｃおよび５８ｃの各々に命令する。ドライバ１８ｃおよび５８ｃは、図示しないＳＧ(Signal Generator)から周期的に発生する垂直同期信号Ｖｓｙｎｃに応答して、イメージセンサ１６および５６の撮像面をそれぞれ露光し、かつイメージセンサ１６および５６の撮像面で生成された電荷をラスタ走査態様でそれぞれ読み出す。イメージセンサ１６および５６の各々からは、シーンを表す生画像データが繰り返し出力される。以下では、イメージセンサ１６から出力される生画像データを“第１生画像データ”と定義し、イメージセンサ５６から出力される生画像データを“第２生画像データ”と定義する。
【００３０】
複合カメラ装置１００の前方に図４に示すシーンが広がっているとき、イメージセンサ１６は左側視野ＶＦ＿Ｌを捉える一方、イメージセンサ５６は右側視野ＶＦ＿Ｒを捉える。距離Ｈ＿Ｌおよび距離Ｈ＿Ｒは一致するので、左側視野ＶＦ＿Ｌおよび右側視野ＶＦ＿Ｒの水平位置は僅かにずれるものの、左側視野ＶＦ＿Ｌおよび右側視野ＶＦ＿Ｒの垂直位置は互いに一致する。この結果、イメージセンサ１６および５６の両方で捉えられる共通視野ＶＦ＿Ｃが、左側視野ＶＦ＿Ｌおよび右側視野ＶＦ＿Ｒの各々に部分的に出現する。
【００３１】
図２に戻って、前処理回路２０は、イメージセンサ１６から出力された第１生画像データにディジタルクランプ，画素欠陥補正，ゲイン制御などの処理を施す。これらの処理を施された第１生画像データは、メモリ制御回路３０を通してＳＤＲＡＭ３２の第１生画像エリア３２ａに書き込まれる。
【００３２】
前処理回路２０はまた、イメージセンサ５６から出力された第２生画像データにディジタルクランプ，画素欠陥補正，ゲイン制御などの処理を施す。これらの処理を施された第２生画像データは、メモリ制御回路３０を通してＳＤＲＡＭ３２の第２生画像エリア３２ｂに書き込まれる。
【００３３】
メモリ制御回路３０は、共通視野ＶＦ＿Ｃに対応する切り出しエリアを第１生画像エリア３２ａおよび第２生画像エリア３２ｂ上で指定する。画像合成回路４８は、切り出しエリアに属する一部の第１生画像データをメモリ制御回路３０を通して第１生画像エリア３２ａから繰り返し読み出し、切り出しエリアに属する一部の第２生画像データをメモリ制御回路３０を通して第２生画像エリア３２ｂから繰り返し読み出す。
【００３４】
第１生画像エリア３２ａからの読み出し処理および第２生画像エリア３２ｂからの読み出し処理は並列的に実行され、これによって共通するフレームの第１生画像データおよび第２生画像データが同時に画像合成回路４８に入力される。画像合成回路４８は、こうして入力された第１生画像データおよび第２生画像データを合成し、３Ｄ画像データを作成する（図５参照）。作成された各フレームの３Ｄ画像データは、メモリ制御回路３０を通してＳＤＲＡＭ３２の３Ｄ画像エリア３２ｃに書き込まれる。
【００３５】
ＬＣＤドライバ３６は、３Ｄ画像エリア３２ｃに格納された３Ｄ画像データをメモリ制御回路３０を通して繰り返し読み出し、読み出された３Ｄ画像データに基づいてＬＣＤモニタ３８を駆動する。この結果、共通視野ＶＦ＿Ｃを表すリアルタイム動画像（スルー画像）がＬＣＤモニタ３８に３Ｄ表示される。
【００３６】
シャッタボタン２８ｓｈが非操作状態のとき、撮像タスクの下でＣＰＵ２６は、ＡＥ評価回路２２からの出力に基づく簡易ＡＥ処理を動画取り込み処理と並列して実行する。簡易ＡＥ処理は絞り量優先で実行され、絞りユニット１４に設定された絞り量と協働して適正ＥＶ値を定義する露光時間が、簡易的に算出される。算出された露光時間は、ドライバ１８ｃおよび５８ｃの各々に設定される。この結果、スルー画像の明るさが適度に調整される。なお、電源投入時には、デフォルト値に設定された絞り量を参照して簡易ＡＥ処理が実行される。
【００３７】
ディジタルカメラ１０の操作者は、オートフォーカス機能によるフォーカス調整を試みるとシャッターチャンスを逃すと想定される場合は、以下の要領でマニュアル操作によるフォーカス調整を行う。シャッターチャンスを逃す場合として、例えば、走行中の列車を待ち構えて撮影する場合や、動きの素早い野生動物が現れるのを待ち構えて撮影する場合などが想定される。
【００３８】
スルー画像の３Ｄ表示が開始されると、撮像タスクの下でＣＰＵ２６は、現在のフォーカスレンズ１２および５２の各々の位置と絞り量とを参照して、フォーカスマーカＭＫの表示をグラフィックジェネレータ４６に要求する。グラフィックジェネレータ４６は、フォーカスマーカＭＫを表すグラフィック情報をＬＣＤドライバ３６に向けて出力する。この結果、スルー画像上にフォーカスマーカＭＫが多重して表示される。
【００３９】
図６を参照して、フォーカスマーカＭＫは、直方体によって表され、電源投入時はスルー画像中央に表示される。一方、参照されたフォーカスレンズ１２および５２の各々の位置と絞り量とに基づいて、フォーカス位置および被写界深度がそれぞれ算出される。この算出結果に基づいてフォーカスマーカＭＫが表示され、フォーカスマーカＭＫの表示位置および奥行きは、現在のフォーカス位置および被写界深度をそれぞれ示す。
【００４０】
図７を参照して、フォーカスマーカＭＫは、操作者によるフォーカス位置の変更操作に従って、３Ｄ表示されたスルー画像の中を移動する。また、操作者による被写界深度の変更操作に従って、フォーカスマーカＭＫの奥行きのサイズが変化する。
【００４１】
操作者によるフォーカス位置の変更操作によってフォーカスレンズ１２および５２の各々の位置が変更されると、フォーカスマーカＭＫはスルー画像の奥行き方向に移動する。したがって、フォーカス位置が遠方に設定されると、フォーカスマーカＭＫの表示位置はスルー画像の奥に変更され、またフォーカスマーカＭＫの表示サイズは小さくなる。逆に、フォーカス位置が近傍に設定されると、フォーカスマーカＭＫの表示位置はスルー画像の手前に変更され、またフォーカスマーカＭＫの表示サイズは大きくなる。
【００４２】
キー入力装置２８を通じて被写界深度の変更操作が行われると、ＣＰＵ２６は、絞りユニット１４の絞り量の調整をドライバ１８ｂに命令する。絞り量の変更に従って被写界深度が変更されると、フォーカスマーカＭＫの形状は奥行き方向に伸縮する。これによって、フォーカスマーカＭＫが占める範囲は合焦範囲を示す。したがって、被写界深度が浅く設定されるとフォーカスマーカＭＫの奥行きは短くなる。逆に、被写界深度が深く設定されるとフォーカスマーカＭＫの奥行きは長くなる。
【００４３】
このようなフォーカスマーカＭＫの表示位置または奥行きを参照しながら、操作者はフォーカス位置または被写界深度をそれぞれ調整する。また、操作者によるキー入力装置２８の操作によって、フォーカスマーカＭＫは水平方向または垂直方向にも移動する。したがって、操作者は、被写体を捉えたい位置にフォーカスマーカＭＫを移動し、移動後にフォーカス位置または被写界深度の変更操作を行えばよい。なお、フォーカスマーカＭＫは、３Ｄ表示されたスルー画像に多重されるので、移動後の表示位置に従って向きを変えて表示される。
【００４４】
図８に示す画像のように走行中の列車を待ち構えて撮影する場合は、操作者は以下の要領でフォーカス調整を行う。
【００４５】
図９は、ディジタルカメラ１０と列車が通過する予定の線路ＲＴとの水平方向の位置関係を示した図解図である。図８に示すように列車の進行方向に対して斜めにフォーカスレンズ１２を向け、列車正面を画角の左側で捉えようとする場合、図９を参照して、操作者は、切り出しエリアの画角中央を示す直線ＬＣ１と画角左端を示す直線ＬＬとの間にフォーカスマーカＭＫを移動した上で、フォーカス位置の調整を行う。
【００４６】
例えば、フォーカスマーカＭＫが直線ＬＣ１と切り出しエリアの画角右端を示す直線ＬＲとの間の「１」で示す位置にあったとき、操作者はキー入力装置２８の操作によってフォーカスマーカＭＫを左方向に移動する。この操作に従って、フォーカスマーカＭＫは、「１」で示す位置およびフォーカスレンズ１２の距離と等距離の位置を示す曲線ＣＰ１上を移動する。
【００４７】
このようにしてフォーカスマーカＭＫが「２」で示す位置に移動すると、操作者はフォーカス位置の変更操作を行う。この操作に従って、フォーカスマーカＭＫは、「２」で示す位置およびフォーカスレンズ１２を結ぶ直線ＬＰ１上を移動する。
【００４８】
「２」で示す位置は線路ＲＴよりも至近側なので、操作者は、フォーカスマーカＭＫの表示位置を参照しながら、フォーカス位置の変更操作によってフォーカスレンズ１２を無限側に移動する。操作者はまた、フォーカスマーカＭＫが線路ＲＴ中央の「３」で示す位置に到達したとき、フォーカス位置が目標位置に変更されたものと判断して、フォーカス位置の変更操作を終了する。
【００４９】
図１０は、ディジタルカメラ１０と列車が通過する予定の線路ＲＴとの垂直方向の位置関係を示した図解図である。図８に示すように列車正面を画角の上側で捉えようとする場合、図１０を参照して、操作者は、切り出しエリアの画角中央を示す直線ＬＣ２と画角上端を示す直線ＬＴとの間にフォーカスマーカＭＫを移動した上で、フォーカス位置の調整を行う。
【００５０】
フォーカスマーカＭＫが直線ＬＣ２と切り出しエリアの画角下端を示す直線ＬＢとの間の「１」で示す位置にあったとき、操作者はキー入力装置２８の操作によってフォーカスマーカＭＫを上方向に移動する。この操作に従って、フォーカスマーカＭＫは、「１」で示す位置およびフォーカスレンズ１２の距離と等距離の位置を示す曲線ＣＰ２上を移動する。
【００５１】
このようにしてフォーカスマーカＭＫが「２」で示す位置に移動すると、操作者はフォーカス位置の変更操作を行う。この操作に従って、フォーカスマーカＭＫは、「２」で示す位置およびフォーカスレンズ１２を結ぶ直線ＬＰ２上を移動する。
【００５２】
「２」で示す位置は線路ＲＴよりも至近側なので、操作者は、フォーカスマーカＭＫの表示位置を参照しながら、フォーカス位置の変更操作によってフォーカスレンズ１２を無限側に移動する。操作者はまた、フォーカスマーカＭＫが線路ＲＴ中央の「３」で示す位置に到達したとき、フォーカス位置が目標位置に変更されたものと判断して、フォーカス位置の変更操作を終了する。
【００５３】
図１１に示す画像のように木の枝に止まった鳥を待ち構えて撮影する場合は、操作者は以下の要領でフォーカス調整を行う。
【００５４】
図１２は、ディジタルカメラ１０と木の枝ＢＷとの垂直方向の位置関係を示した図解図である。木の枝ＢＷに止まった鳥に合焦しようとする場合、図１２を参照して、操作者は、被写界深度の変更操作を行い、鳥の大きさに基づいて被写界深度を調整する。また、鳥を画角中央で捉えようとする場合、図１２を参照して、操作者は、切り出しエリアの画角中央を示す直線ＬＣ３上にフォーカスマーカＭＫを移動した上で、フォーカス位置の調整を行う。
【００５５】
例えば、フォーカスマーカＭＫの奥行きが被写界深度ＤＦ１を示すとき、操作者は、絞り量の変更操作を行い、鳥の大きさに基づく被写界深度ＤＦ２に被写界深度を変更する。
【００５６】
また、操作者はフォーカス位置の変更操作を行う。この操作に従って、直線ＬＣ３上を移動する。「１」で示す位置は木の枝ＢＷよりも至近側なので、操作者は、フォーカスマーカＭＫの表示位置を参照しながら、フォーカス位置の変更操作によってフォーカスレンズ１２を無限側に移動する。操作者はまた、フォーカスマーカＭＫが木の枝ＢＷ上の「２」で示す位置に到達したとき、フォーカス位置が目標位置に変更されたものと判断して、フォーカス位置の変更操作を終了する。
【００５７】
このようにしてフォーカス位置または被写界深度の変更操作を行った後にシャッタボタン２８ｓｈが半押しされると、ＣＰＵ２６は、ＡＥ評価回路２２の出力に基づいて厳格ＡＥ処理を実行する。厳格ＡＥ処理は絞り量優先で実行され、絞りユニット１４に設定された絞り量に従って、適正ＥＶ値を定義する露光時間が厳格に算出される。算出された露光時間は、ドライバ１８ｃおよび５８ｃの各々に設定される。この結果、スルー画像の明るさが厳格に調整される。
【００５８】
シャッタボタン２８ｓｈが全押しされると、ＣＰＵ２６は、撮像タスクの下で第１撮像ブロック１００および第２撮像ブロック５００の各々の静止画取り込み処理と３Ｄ記録処理とを実行する。シャッタボタン２８ｓｈが全押しされた時点の１フレームの第１生画像データおよび第２生画像データは、静止画取り込み処理によってＳＤＲＡＭ３２の第１静止画エリア３２ｄおよびＳＤＲＡＭ３２の第２静止画エリア３２ｅにそれぞれ取り込まれる。
【００５９】
また、３Ｄ記録処理によって、３Ｄ静止画の記録に対応した形式の１つの静止画ファイルが記録媒体４２に作成される。取り込まれた第１生画像データおよび第２生画像データは、３Ｄ映像の格納を示す識別コード，２つの画像の配置方法，およびフォーカスレンズ１２とフォーカスレンズ５２との距離などとともに、新規作成された静止画ファイルに記録処理によって記録される。
【００６０】
ＣＰＵ２６は、図１３〜１５に示す撮像タスクを含む複数のタスクを並列的に実行する。なお、これらのタスクに対応する制御プログラムは、フラッシュメモリ４４に記憶される。
【００６１】
図１３を参照して、ステップＳ１では動画取り込み処理を実行する。この結果、第１撮像ブロック１００から第１生画像データが取り込まれ、第２撮像ブロック５００から第２生画像データが取り込まれる。ステップＳ３では、取り込まれた２つの画像の合成を画像合成回路４８に命令し、作成された３Ｄ画像データに基づく画像表示をＬＣＤドライバ３６に命令する。この結果、３Ｄスルー画像の表示が開始される。
【００６２】
ステップＳ５では、フォーカスレンズ１２および５２のデフォルト位置への移動をドライバ１８ａおよび５８ａにそれぞれ命令する。この結果、フォーカス位置がデフォルト位置に設定される。ステップＳ７では、絞りユニット１４の絞り量のデフォルト値への調整をドライバ１８ｂに命令する。この結果、被写界深度がデフォルト値に設定される。
【００６３】
ステップＳ９では、現在のフォーカスレンズ１２および５２の各々の位置と絞り量とを参照して、フォーカスマーカＭＫの表示をグラフィックジェネレータ４６に要求する。この結果、スルー画像上にフォーカスマーカＭＫが多重して表示される。
【００６４】
ステップＳ１１ではシャッタボタン２８ｓｈが半押しされたか否かを判別し、判別結果がＹＥＳであればステップＳ３３に進む一方、判別結果がＮＯであればステップＳ１３に進む。
【００６５】
ステップＳ１３では簡易ＡＥ処理を実行する。簡易ＡＥ処理によって算出された適正ＥＶ値を定義する絞り量は、ドライバ１８ｂおよび５８ｂの各々に設定される。また、簡易ＡＥ処理によって算出された適正ＥＶ値を定義する露光時間は、ドライバ１８ｃおよび５８ｃの各々に設定される。この結果、スルー画像の明るさが適度に調整される。
【００６６】
ステップＳ１５ではフォーカス位置の変更操作が行われたか否かを判別し、判別結果がＮＯであればステップＳ２１に進む一方、判別結果がＹＥＳであればフォーカスレンズ１２および５２の各々の位置の変更によってステップＳ１７でフォーカス位置が変更される。
【００６７】
ステップＳ１９では、フォーカス位置の変更に従って、フォーカスマーカＭＫをスルー画像の奥行き方向に移動する。フォーカス位置が遠方に設定されると、フォーカスマーカＭＫの表示位置はスルー画像の奥に変更され、またフォーカスマーカＭＫの表示サイズは小さくなる。逆に、フォーカス位置が近傍に設定されると、フォーカスマーカＭＫの表示位置はスルー画像の手前に変更され、またフォーカスマーカＭＫの表示サイズは大きくなる。ステップＳ１９の処理が完了するとステップＳ１１に戻る。
【００６８】
ステップＳ２１では被写界深度の変更操作が行われたか否かを判別し、判別結果がＮＯであればステップＳ２７に進む一方、判別結果がＹＥＳであれば絞りユニット１４の絞り量の調整をステップＳ２３でドライバ１８ｂに命令する。この結果、絞り量の変更に従って被写界深度が変更される。
【００６９】
ステップＳ２５では、被写界深度の変更に従って、フォーカスマーカＭＫの形状を奥行き方向に伸縮する。絞り量を小さくすることによって被写界深度が浅く設定されると、フォーカスマーカＭＫの奥行きは短くなる。逆に、絞り量を大きくすることによって被写界深度が深く設定されると、フォーカスマーカＭＫの奥行きは長くなる。ステップＳ２５の処理が完了するとステップＳ１１に戻る。
【００７０】
ステップＳ２７では、フォーカスマーカＭＫの移動操作が行われたか否かを判別し、判別結果がＮＯであればステップＳ１１に戻る一方、判別結果がＹＥＳであればステップＳ２９に進む。ステップＳ２９では、フォーカスマーカＭＫの移動操作に従って、フォーカスマーカＭＫの表示位置を水平方向または垂直方向に変更する。ステップＳ３１では、移動後の表示位置に従ってフォーカスマーカＭＫの向きを変更する。ステップＳ３１の処理が完了すると、ステップＳ１１に戻る。
【００７１】
ステップＳ３３では厳格ＡＥ処理を実行する。厳格ＡＥ処理によって算出された最適ＥＶ値を定義する絞り量は、ドライバ１８ｂおよび５８ｂの各々に設定される。また、算出された最適ＥＶ値を定義する露光時間は、ドライバ１８ｃおよび５８ｃの各々に設定される。この結果、スルー画像の明るさが厳格に調整される。
【００７２】
ステップＳ３５ではシャッタボタン２８ｓｈが全押しされたか否かを判別し、判別結果がＹＥＳであればステップＳ３９に進む一方、判別結果がＮＯであればシャッタボタン２８ｓｈが解除されたか否かをステップＳ３７で判別する。ステップＳ３７の判別結果がＮＯであればステップＳ３５に戻る一方、ステップＳ３７の判別結果がＹＥＳであればステップＳ１１に戻る。
【００７３】
ステップＳ３９では、第１撮像ブロック１００および第２撮像ブロック５００の各々の静止画取り込み処理を実行する。この結果、シャッタボタン２８ｓｈが全押しされた時点の１フレームの第１生画像データおよび第２生画像データは、静止画取り込み処理によって第１静止画エリア３２ｄおよび第２静止画エリア３２ｅにそれぞれ取り込まれる。
【００７４】
ステップＳ４１では、３Ｄ記録処理を実行する。この結果、３Ｄ静止画の記録に対応した形式の１つの静止画ファイルが記録媒体４２に作成される。取り込まれた第１生画像データおよび第２生画像データは、３Ｄ映像の格納を示す識別コード，２つの画像の配置方法，およびフォーカスレンズ１２とフォーカスレンズ５２との距離などとともに、新規作成された静止画ファイルに記録処理によって記録される。ステップＳ４１の処理が完了するとステップＳ１１に戻る。
【００７５】
以上の説明から分かるように、イメージセンサ１６および５６は、撮像面で捉えられた空間を表す画像を繰り返し出力する。ＬＣＤドライバ３６，ＬＣＤモニタ３８，画像合成回路，およびＣＰＵ２６は、イメージセンサ１６および５６から出力された画像を表示する。グラフィックジェネレータ４６およびＣＰＵ２６は、少なくとも合焦点の位置を示す指標を表示された画像に多重する。ＣＰＵ２６は、多重される指標の位置を合焦調整操作に従って変更し、位置変更処理に関連して合焦設定を変更する。
【００７６】
撮像面で捉えられた空間を表す画像に合焦点の位置を示す指標が多重して表示される。この指標の位置は、合焦調整操作に従って変更される。また、指標の位置の変更に関連して、合焦設定が変更される。
【００７７】
このように、指標の位置の変更を通じて、合焦設定の変更を視覚的に捉えることができる。したがって、合焦設定における操作性を高めることができる。
【００７８】
なお、この実施例では、ディジタルカメラ１０を用いて、フォーカスマーカＭＫをＬＣＤモニタ３８に表示するようにした。しかし、撮影装置付きの双眼鏡を用いるようにしてもよい。この場合、双眼鏡の各々の筒の中にハーフミラーおよび映写装置を設けて、各々の映写装置からハーフミラーに向けてフォーカスマーカＭＫを映写する。この結果、各々の筒で捉えられてハーフミラーを透過した光学像および各々のハーフミラーに反射したフォーカスマーカＭＫが、多重して操作者に視認されるようにすればよい。
【００７９】
また、この実施例では、フォーカス位置の変更操作が行われる毎に、フォーカスレンズ１２および５２の各々の位置を変更し、フォーカスマーカＭＫの表示位置を変更するようにした。また、被写界深度の変更操作が行われる毎に、絞りユニット１４の絞り量を変更し、フォーカスマーカＭＫの奥行きを変更するようにした。
【００８０】
しかし、フォーカス位置の変更操作が行われたときにフォーカスマーカＭＫの表示位置を変更するようにし、その後にフォーカス決定操作が行われたときにフォーカスレンズ１２および５２の各々の位置を変更し、フォーカス位置が変化するようにしてもよい。また、被写界深度の変更操作が行われたときにフォーカスマーカＭＫの奥行きを変更するようにし、その後にフォーカス決定操作が行われたときに絞りユニット１４の絞り量を変更し、被写界深度が変化するようにしてもよい。これらの場合、シャッタボタン２８ｓｈの半押し操作をフォーカス決定操作とみなしてもよい。
【００８１】
またこれらの場合、図１４のステップＳ１７およびステップＳ２３に代えて図１６のステップＳ５１を、ステップＳ１１の判別結果がＹＥＳの場合にステップＳ３３の前に実行するようにすればよい。ステップＳ５１では、ステップＳ１５で判別されたフォーカス位置の変更操作またはステップＳ２１で判別された被写界深度の変更操作に従って、フォーカスレンズ１２および５２の位置または絞りユニット１４の絞り量をそれぞれ変更する。この結果、フォーカス位置または被写界深度が変更される。
【００８２】
また、この実施例では、マルチタスクＯＳおよびこれによって実行される複数のタスクに相当する制御プログラムは、フラッシュメモリ４４に予め記憶される。しかし、外部サーバに接続するための通信Ｉ／Ｆ６０を図１７に示す要領でディジタルカメラ１０に設け、一部の制御プログラムを内部制御プログラムとしてフラッシュメモリ４４に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００８３】
また、この実施例では、ＣＰＵ２６によって実行される処理を、図１３〜図１５に示す撮像タスクを含む複数のタスクに区分するようにしている。しかし、これらのタスクをさらに複数の小タスクに区分してもよく、さらには区分された複数の小タスクの一部を他のタスクに統合するようにしてもよい。また、転送タスクを複数の小タスクに区分する場合、その全部または一部を外部サーバから取得するようにしてもよい。
【００８４】
また、この実施例では、第１撮像ブロック１００および第２撮像ブロック５００の各々で取り込まれた画像を用いて、３Ｄ静止画を記録するようにした。しかし、第１撮像ブロック１００および第２撮像ブロック５００のいずれか一方で取り込まれた画像を用いて、２Ｄ静止画を記録するようにしてもよい。
【００８５】
また、この実施例では、ディジタルスチルカメラを用いて説明したが、本発明は、ディジタルビデオカメラ，携帯電話端末またはスマートフォンなどにも適用することができる。
【符号の説明】
【００８６】
１０  …ディジタルカメラ
１２  …フォーカスレンズ
１４  …絞りユニット
１６  …イメージセンサ
２６  …ＣＰＵ
３６  …ＬＣＤドライバ
３８  …ＬＣＤモニタ
４６  …グラフィックジェネレータ
４８  …画像合成回路
５２  …フォーカスレンズ
５４  …絞りユニット
５６  …イメージセンサ
１００  …第１撮像ブロック
５００  …第２撮像ブロック
【図１】
2013026744.tif 000003
【図２】
2013026744.tif 000004
【図３】
2013026744.tif 000005
【図４】
2013026744.tif 000006
【図５】
2013026744.tif 000007
【図６】
2013026744.tif 000008
【図７】
2013026744.tif 000009
【図８】
2013026744.tif 000010
【図９】
2013026744.tif 000011
【図１０】
2013026744.tif 000012
【図１１】
2013026744.tif 000013
【図１２】
2013026744.tif 000014
【図１３】
2013026744.tif 000015
【図１４】
2013026744.tif 000016
【図１５】
2013026744.tif 000017
【図１６】
2013026744.tif 000018
【図１７】
2013026744.tif 000019